(57)【要約】【課題】隣接する扉体同士で起立角度差が生じることに起因して扉体にスラスト荷重が作用することを阻止しつつ、隣接する扉体同士を連結すること。【解決手段】起伏ゲート１は、幅方向に並んで設けられ、倒伏状態から浮力によって基端側の回動軸１１を中心に回動し起立する複数の扉体１０と、互いに隣接する扉体１０同士を連結する連結部４０とを備える。連結部４０は、一端が、互いに隣接する一方の扉体１０側に接続され、他端が、他方の扉体１０側に接続される索状部材５０を有し、隣接する扉体１０同士で起立角度差が生じることによって索状部材５０が張った状態になった際、索状部材５０の延びる方向と扉体１０の幅方向との成す角度が直角になるように構成されている。【選択図】図１０
2020111960.tif 000002
【特許請求の範囲】
【請求項１】
幅方向に並んで設けられ、倒伏状態から浮力によって基端側の回動軸を中心に回動し起立する複数の扉体と、互いに隣接する前記扉体同士を連結する連結部とを備えている起伏ゲートであって、
前記連結部は、一端が、互いに隣接する一方の前記扉体側に接続され、他端が、他方の前記扉体側に接続される索状部材を有し、隣接する前記扉体同士で起立角度差が生じることによって前記索状部材が張った状態になった際、前記索状部材の延びる方向と前記扉体の幅方向との成す角度が直角になるように構成されている
ことを特徴とする起伏ゲート。
【請求項２】
請求項１に記載の起伏ゲートにおいて、
前記連結部は、
互いに隣接する一方の前記扉体に設けられ、該扉体の幅方向端部から他方の前記扉体側へ向かって突出し、その突出部分に前記索状部材の一端が接続される第１軸部材と、
互いに隣接する他方の前記扉体に設けられ、該扉体の幅方向端部から一方の前記扉体側へ向かって突出し、その突出部分に前記索状部材の他端が接続される第２軸部材とを有し、
前記第１軸部材と第２軸部材とは、前記扉体の高さ方向において互いに異なる位置に設けられ、
前記索状部材と前記第１軸部材および第２軸部材との２つの接続位置を通る直線は、前記扉体の幅方向に対して直角を成している
ことを特徴とする起伏ゲート。
【請求項３】
請求項２に記載の起伏ゲートにおいて、
前記第１軸部材と第２軸部材とは、前記扉体の厚さ方向において互いに同じ位置に設けられている
ことを特徴とする起伏ゲート。
【発明の詳細な説明】
【技術分野】
【０００１】
本願は、起伏ゲートに関する。
【背景技術】
【０００２】
津波や高潮などの対策として陸上や海中に設けられる起伏ゲートが、例えば特許文献１に開示されている。特許文献１の起伏ゲートは、幅方向に並べられた複数の扉体を備えている。扉体は、浮力によって基端側を中心に回動して起立する。また、この起伏ゲートでは、起立動作時において互いに隣接する扉体の起立角度差が大きくならないように、隣接する扉体の先端付近同士が例えばチェーンによって連結されている。これは、起立角度差が大きくなると、隣接する扉体同士の回動方向における隙間が大きくなり、その隙間に漂流物が挟まったり、その隙間から許容量以上の水が流出したりするからである。
【先行技術文献】
【特許文献】
【０００３】
【特許文献１】特許第６２２０３０７号公報
【発明の概要】
【発明が解決しようとする課題】
【０００４】
ところで、上述した扉体の連結方法では、隣接する扉体同士の起立角度差が大きくなりチェーンが張った状態になると、互いの扉体にはその幅方向に引き合う力が作用してしまう。
【０００５】
本願に開示の技術は、かかる事情に鑑みてなされたものであり、その目的は、複数の扉体がその幅方向に並んで設けられる起伏ゲートにおいて、隣接する扉体同士で起立角度差が生じることに起因して扉体同士で幅方向に引き合う力が作用することを阻止しつつ、隣接する扉体同士を連結することにある。
【課題を解決するための手段】
【０００６】
本願に開示の技術は、複数の扉体と、連結部とを備えている起伏ゲートを対象としている。前記複数の扉体は、その幅方向に並んで設けられ、倒伏状態から浮力によって基端側の回動軸を中心に回動し起立するものである。前記連結部は、互いに隣接する前記扉体同士を連結するものである。そして、前記連結部は、一端が、互いに隣接する一方の前記扉体側に接続され、他端が、他方の前記扉体側に接続される索状部材を有している。また、前記連結部は、隣接する前記扉体同士で起立角度差が生じることによって前記索状部材が張った状態になった際、前記索状部材の延びる方向と前記扉体の幅方向との成す角度が直角になるように構成されている。
【０００７】
なお、上記の「索状部材」は、可撓性を有する長い物を意味し、例えば繊維製または鋼製のロープや、チェーン等である。
【発明の効果】
【０００８】
本願の起伏ゲートによれば、隣接する扉体同士で起立角度差が生じることに起因して扉体同士で幅方向に引き合う力が作用することを阻止しつつ、隣接する扉体同士を連結することができる。
【図面の簡単な説明】
【０００９】
【図１】図１は、実施形態に係る起伏ゲートの概略構成を示す平面図である。
【図２】図２は、実施形態に係る起伏ゲートの概略構成を扉体の先端部側から視て示す図であり、ａ部において連結部を一部省略している。
【図３】図３は、実施形態に係る起伏ゲートの概略構成を側方から視て示す図である。
【図４】図４は、実施形態に係る連結部を扉体の先端部側から視て示す図である。
【図５】図５は、実施形態に係る連結部を扉体の先端部側から視て示す図であり、一方の軸部材を一部省略している。
【図６】図６は、実施形態に係る連結部を側方から視て示す図である。
【図７】図７は、連結部の一方の支持部材を側方から視て示す図である。
【図８】図８は、連結部の他方の支持部材を側方から視て示す図である。
【図９】図９は、索状部材が張った状態の連結部を側方から視て示す図である。
【図１０】図１０は、索状部材が張った状態の連結部を扉体の先端部側から視て示す図である。
【発明を実施するための形態】
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
本実施形態の起伏ゲート１は、例えば津波や高潮対策として港湾に設けられるものである。図１に示すように、起伏ゲート１は、固定防波堤１００の開口部に設置される、いわゆる可動防波堤である。なお、図１において、上側は港内であり、下側は港外である。
【００１２】
図２および図３にも示すように、起伏ゲート１は、扉体１０と、格納部２０と、係留機構３０と、連結部４０とを備えている。なお、図３において、左側は港外であり、右側は港内である。
【００１３】
扉体１０は、やや扁平な略矩形体状に形成されており、その幅方向（図１および図２において左右方向）に複数（本実施形態では、４つ）並んで設けられている。扉体１０は、基端側（図１において上側の端部）に回動軸１１を有している。
【００１４】
扉体１０は、水中（海中）に設けられ、倒伏状態から浮力によって回動軸１１を中心に回動し起立（浮上）する。扉体１０は、起立することにより、港外から港内へ水が浸入するのを防止する。扉体１０は、係留機構３０によって倒伏状態で係留されている。
【００１５】
格納部２０は、倒伏状態の扉体１０の下方に設けられている。格納部２０は、海底に設けられており、略矩形体状に形成されている。格納部２０は、扉体１０が倒伏状態で格納される。本実施形態では、４つの扉体１０に対応する共通の格納部２０が１つ設けられている。
【００１６】
係留機構３０は、倒伏状態の扉体１０を波浪によって動揺可能に係留するものである。つまり、係留機構３０は、扉体１０の波浪による動揺を許容しつつ、扉体１０の浮力に抗する係留力を扉体１０に作用させて倒伏状態の扉体１０を係留する。
【００１７】
係留機構３０は、フック３１を有している。フック３１は、基端部に設けられた軸３２を中心に回動自在となっており、扉体１０の先端部１２に設けられた被係留部１３に上から引っかかっている。こうして、上述した係留力がフック３１を介して扉体１０に作用する。係留機構３０は、上述した係留力を緩めることによって、扉体１０の係留を解除する。
【００１８】
連結部４０は、互いに隣接する扉体１０同士を連結するものである（図２のａ部参照）。図４〜図８にも示すように、連結部４０は、軸部材４１，４５と、支持部材４２，４６と、索状部材５０とを有している。本実施形態において、索状部材５０はアンカーチェーンである。
【００１９】
なお、以降で言及する「扉体１０の幅方向」は図４および図５においては左右方向を意図し、「扉体１０の厚さ方向」は図４〜図６においては上下方向を意図し、「扉体１０の高さ方向」は図６〜図８においては左右方向を意図する。
【００２０】
連結部４０は、扉体１０の先端部１２において幅方向端部１６側に設けられている。連結部４０は、隣接する扉体１０同士で起立角度差が生じることによって索状部材５０が張った状態になった際、索状部材５０の延びる方向と扉体１０の幅方向との成す角度が直角になるように構成されている。
【００２１】
図４および図５に示すように、軸部材４１（第１軸部材）は、断面が円形に形成されており、互いに隣接する一方の扉体１０（以下、単に一方の扉体１０ともいう。）に設けられている。軸部材４１は、扉体１０の幅方向に延びている。軸部材４１は、扉体１０の幅方向端部１６から、互いに隣接する他方の扉体１０（以下、単に他方の扉体１０ともいう。）側へ向かって突出している。
【００２２】
もう一つの軸部材４５（第２軸部材）は、上述した軸部材４１と同様に断面が円形に形成されており、他方の扉体１０に設けられている。軸部材４５は、扉体１０の幅方向に延びている。軸部材４５は、扉体１０の幅方向端部１６から、一方の扉体１０側へ向かって突出している。
【００２３】
軸部材４１，４５はそれぞれ、基端側が、扉体１０の先端部１２における端面１４に設けられているブラケット１５に貫通しており、キープレート４３，４７によって回転防止および抜け止めがされている。端面１４は、扉体１０の幅方向および厚さ方向と平行な面であり、扉体１０の高さ方向と垂直な面である。
【００２４】
支持部材４２，４６はそれぞれ、板状に形成されており、扉体１０の端面１４に立設されている。支持部材４２，４６はそれぞれ、扉体１０の端面１４においてブラケット１５よりも幅方向端部１６側に設けられている。図７および図８に示すように、支持部材４２，４６はそれぞれ、貫通孔４２ａ，４６ａを有しており、その貫通孔４２ａ，４６ａに軸部材４１，４５が挿入されている。こうして、支持部材４２，４６は軸部材４１，４５を支持している。
【００２５】
索状部材５０は、一端が、一方の扉体１０側に接続され、他端が、他方の扉体１０側に接続されている。具体的に、索状部材５０は、一端が軸部材４１の突出部分に接続され、他端が軸部材４５の突出部分に接続されている。軸部材４１，４５の突出部分は、扉体１０の幅方向端部１６から突出している部分である。
【００２６】
図４〜図６に示すように、互いに隣接する扉体１０同士で起立角度差が生じていない場合、索状部材５０は弛んだ状態で扉体１０に連結されている。
【００２７】
図４等に示すように、２つの軸部材４１，４５は、扉体１０の厚さ方向において互いに同じ位置Ｙに設けられている。２つの軸部材４１，４５は、扉体１０の厚さ方向中央に設けられている。
【００２８】
また、図６に示すように、２つの軸部材４１，４５は、扉体１０の高さ方向において互いに異なる位置に設けられている。扉体１０の高さ方向において、軸部材４１の位置Ｚａは軸部材４５の位置Ｚｂよりも高く、両者は互いに距離ΔＬだけずれている。つまり、図７および図８に示すように、扉体１０の端面１４から支持部材４２の貫通孔４２ａの中心位置Ｚａまでの距離Ｌ１は、扉体１０の端面１４から支持部材４６の貫通孔４６ａの中心位置Ｚｂまでの距離Ｌ２よりも距離ΔＬ（Ｌ１−Ｌ２）だけ長い。
【００２９】
図４や図５に示すように、索状部材５０と軸部材４１，４５との２つの接続位置は、扉体１０の幅方向において互いに同じ位置Ｘとなっている。つまり、図６に示すように、索状部材５０と軸部材４１，４５との２つの接続位置を通る直線Ｓは、扉体１０の幅方向に対して直角を成している。なお、図６において「扉体１０の幅方向」は紙面に対して垂直方向である。
【００３０】
上述した起伏ゲート１では、係留機構３０による係留が解除されると、複数の扉体１０はそれぞれ、浮力によって起立（浮上）する。この起立動作時において、図９に示すように、互いに隣接する扉体１０同士で起立角度差Δθが所定の制限値に達すると、索状部材５０は張った状態になる。即ち、索状部材５０は直線状に延びた状態になる。起立角度差Δθの制限値は、索状部材５０の長さを変更することで調整される。
【００３１】
図１０にも示すように、索状部材５０が張った状態では、索状部材５０と軸部材４１，４５との２つの接続位置を通る直線Ｓは、扉体１０の幅方向に対して直角を成す。つまり、索状部材５０の延びる方向と扉体１０の幅方向との成す角度が直角になる。なお、図９において「扉体１０の幅方向」は紙面に対して垂直方向であり、図１０において「扉体１０の幅方向」は左右方向である。
【００３２】
図９に示すように、索状部材５０が張った状態では、２つの軸部材４１，４５には索状部材５０を介して互いに引っ張り合う力Ｆが作用する。つまり、索状部材５０の延びる方向（直線Ｓの方向）に引っ張り合う力Ｆが生じる。
【００３３】
このとき、力Ｆの分力Ｆａは扉体１０の高さ方向に作用し、力Ｆの分力Ｆｂは扉体１０の厚さ方向（即ち、扉体１０の回動方向）に作用する。つまり、分力Ｆａは、起立角度が大きい方の扉体１０（図９において上側の扉体１０）には回動軸１１から遠ざかる向きに作用し、起立角度が小さい方の扉体１０（図９において下側の扉体１０）には回動軸１１に近づく向きに作用する。また、分力Ｆｂは、起立角度が大きい方の扉体１０には倒伏する向きに作用し、起立角度が小さい方の扉体１０には起立する向きに作用する。
【００３４】
なお、図示しないが、軸部材４１側の扉体１０が軸部材４５側の扉体１０よりも起立角度が大きくなった場合、分力Ｆａは上述した向きとは逆向きに作用する。即ち、分力Ｆａは、起立角度が大きい軸部材４１側の扉体１０には回動軸１１に近づく向きに作用し、起立角度が小さい軸部材４５側の扉体１０には回動軸１１から遠ざかる向きに作用する。
【００３５】
このように、索状部材５０が張った状態では、索状部材５０と軸部材４１，４５との２つの接続位置を通る直線Ｓが扉体１０の幅方向に対して直角を成しているので、扉体１０同士が幅方向に引っ張り合う力、即ちスラスト荷重は生じない。
【００３６】
以上のように、上記実施形態の起伏ゲート１において、連結部４０は、一端が、互いに隣接する一方の扉体１０側に接続され、他端が、他方の扉体１０側に接続される索状部材５０を有する。そして、連結部４０は、隣接する扉体１０同士で起立角度差Δθが生じることによって索状部材５０が張った状態になった際、索状部材５０の延びる方向と扉体１０の幅方向との成す角度が直角になるように構成されている。
【００３７】
上記の構成によれば、索状部材５０が張った状態になった際、隣接する扉体１０同士でその幅方向に引っ張り合う力（スラスト荷重）の発生を防止できる。そのため、隣接する扉体１０同士で起立角度差Δθが生じることに起因して扉体１０同士で幅方向に引き合う力が作用することを阻止しつつ、隣接する扉体１０同士を連結することができる。そのため、起伏ゲート１の強度設計において、起立角度差Δθが生じることに起因するスラスト荷重を考慮しなくてもよい。
【００３８】
具体的には、連結部４０は、第１軸部材（軸部材４１）および第２軸部材（軸部材４５）を有する。第１軸部材は、互いに隣接する一方の扉体１０に設けられ、該扉体１０の幅方向端部１６から他方の扉体１０側へ向かって突出し、その突出部分に索状部材５０の一端が接続されている。第２軸部材（軸部材４５）は、互いに隣接する他方の扉体１０に設けられ、該扉体１０の幅方向端部１６から一方の扉体１０側へ向かって突出し、その突出部分に索状部材５０の他端が接続されている。第１軸部材と第２軸部材とは、扉体１０の高さ方向において互いに異なる位置に設けられている。索状部材５０と第１軸部材および第２軸部材との２つの接続位置を通る直線Ｓは、扉体１０の幅方向に対して直角を成している。
【００３９】
上記の構成によれば、簡易な構成で上述した効果を奏することができる。
【００４０】
また、上記実施形態の起伏ゲート１において、第１軸部材（軸部材４１）と第２軸部材（軸部材４５）とは、扉体１０の厚さ方向において互いに同じ位置Ｙに設けられている。この構成によれば、索状部材５０の必要長さを短くすることができる。
【００４１】
なお、本願に開示の技術は、上記の実施形態において以下の通り構成するようにしてもよい。
【００４２】
例えば、連結部４０の構成は、上述したものに限らず、隣接する扉体１０同士で起立角度差が生じることによって索状部材５０が張った状態になった際、索状部材５０の延びる方向と扉体１０の幅方向との成す角度が直角になるような構成であれば如何なるものであってもよい。
【００４３】
また、２つの軸部材４１，４５は、扉体１０の厚さ方向において互いに異なる位置に設けるようにしてもよい。
【００４４】
また、２つの軸部材４１，４５は、扉体１０の厚さ方向中央に限らず、扉体１０の厚さ方向において如何なる位置に設けるようにしてもよい。
【００４５】
また、索状部材５０は、上述したものに限らず、例えばワイヤロープを用いるようにしてもよい。
【産業上の利用可能性】
【００４６】
以上のように、本願に開示の技術は、起伏ゲートについて有用である。
【符号の説明】
【００４７】
１        起伏ゲート
１０      扉体
１１      回動軸
１６      幅方向端部
４０      連結部
４１      軸部材（第１軸部材）
４５      軸部材（第２軸部材）
５０      索状部材
Δθ      起立角度差
Ｓ        直線
Ｘ        位置（幅方向の位置）
Ｙ        位置（厚さ方向の位置）
Ｚａ，Ｚｂ      位置（高さ方向の位置）
【図１】
2020111960.tif 000003
【図２】
2020111960.tif 000004
【図３】
2020111960.tif 000005
【図４】
2020111960.tif 000006
【図５】
2020111960.tif 000007
【図６】
2020111960.tif 000008
【図７】
2020111960.tif 000009
【図８】
2020111960.tif 000010
【図９】
2020111960.tif 000011
【図１０】
2020111960.tif 000012